Podtech/llm-jp-corpus-v4-ja_patent huggingface dataset:
(57)【要約】【課題】本発明は、ビタミンＢ群に属するビタミンを強化した粉末飲料の苦味を矯味することを目的とする。【解決手段】ココアパウダーに糖類、乳製品、香料などの可食物を加えて調整して飲みやすくした粉末飲料である調整ココアパウダーに、ビタミンＢ群に属するビタミンを配合する。【選択図】  なし【特許請求の範囲】
【請求項１】
ココアパウダーを配合することを特徴とするビタミンＢ群に属するビタミンを強化した粉末飲料。
【請求項２】
ビタミンＢ群に属するビタミンが、ジベンゾイルチアミン、ジベンゾイルチアミン塩酸塩、チアミン塩酸塩、チアミン硝酸塩、チアミンラウリル硫酸塩、チアミンナフタレン1,5-ジスルホン酸塩、チアミンチオシアン酸塩、チアミンセチル硫酸塩、ビスベンチアミン、ピリドキシン塩酸塩、ニコチン酸アミド、パントテン酸カルシウム、パントテン酸ナトリウムから選ばれた１種類以上である請求項１に記載のビタミンＢ群に属するビタミンを強化した粉末飲料。
【発明の詳細な説明】
【技術分野】
【０００１】
本発明は、ココアパウダーを配合することを特徴とするビタミンＢ群に属するビタミンを強化した粉末飲料の風味改善方法に関する。
【背景技術】
【０００２】
ビタミンは、体内で必要な量を作り出せない微量な栄養素で、食物などから
摂らなければならない必須の有機化合物であり、不足すると様々な体の変調をきたすことになる。ビタミンが不足する原因としては
、食生活の乱れ、飲酒、喫煙、ストレス等があげられる。不足するビタミンを補うことを目的とした、各種ビタミン強化加工食品が市販されている。その中でも、飲料は、液状であるため摂取し易い食品である。一方粉末飲料は、粉乳や糖類などを予め混合し、
飲用時に熱湯もしくは水で溶解するだけで飲料を提供するものであり、飲料
の摂取し易いという長所に加え、乾燥状態であるため保存性とビタミンの安定
性にも優れている。従って、ビタミン強化加工食品の中でも粉末飲料は特に優
れた形態であるといえる。
【０００３】
ビタミン強化加工食品において、強化するビタミンの量は、「日本人の栄養所要量第6次改定」を基準に決められるが、ビタミン強化加工食品の１日の摂取回数を考慮すると、個人差があるとしても、加工食品１回分で１日の所要量の１／３以上摂取できる方が望ましい。しかしながら、ビタミンＢ群に属するビタミンのうち、ジベンゾイルチアミン、ジベンゾイルチアミン塩酸塩、チアミン塩酸塩、チアミン硝酸塩、チアミンラウリル硫酸塩、チアミンナフタレン1,5-ジスルホン酸塩、チアミンチオシアン酸塩、チアミンセチル硫酸塩、ビスベンチアミンなどのビタミンＢ1類、ピリドキシン塩酸塩、ニコチン酸アミド、パントテン酸カルシウム、パントテン酸ナトリウムは苦味が強く、加工食品１回分あたり、１日の所要量の１／３以上を添加すると、その加工食品が持つ本来の風味が損なわれるという問題があった。
【０００４】
ビタミンＢ群に属するビタミンの苦味の矯味方法として、コーヒー抽出液及び／又はコーヒー香料を添加する方法が特開平０５−１４６２５３で開示されている。確かにコーヒーの苦味によってビタミンの苦味が矯味されるが、コーヒーの苦味が苦手な人には向かない。
【特許文献１】特開平０５−１４６２５３公報
【発明の開示】
【発明が解決しようとする課題】
【０００５】
本発明は、従来のこのような問題点の解決を目的したものであり、コーヒーによる矯味に頼らずに、おいしく飲める、ビタミンＢ群に属するビタミンを強化した粉末飲料を提供することを目的とする。
【課題を解決するための手段】
【０００６】
本発明者が鋭意研究した結果、ココアパウダーにビタミンＢ群に属するビタミンの苦味を矯味する効果があることを見出し、ココアパウダーに糖類、乳製品、香料などの可食物を加えて調整して飲みやすくした粉末飲料である、調整ココアパウダーにビタミンＢ群に属するビタミンを配合することにより上記課題を解決した。
【発明の効果】
【０００７】
ビタミンＢ群に属するビタミンを強化した粉末飲料において苦味を矯味する
ことができる。
【発明を実施するための最良の形態】
【０００８】
本発明のビタミンＢ群に属するビタミンを強化した粉末飲料は、調整ココアパウダーに苦味の強いビタミンＢ群に属するビタミン（ジベンゾイルチアミン、ジベンゾイルチアミン塩酸塩、チアミン塩酸塩、チアミン硝酸塩、チアミンラウリル硫酸塩、チアミンナフタレン1,5-ジスルホン酸塩、チアミンチオシアン酸塩、チアミンセチル硫酸塩、ビスベンチアミン、ピリドキシン塩酸塩、ニコチン酸アミド、パントテン酸カルシウム、パントテン酸ナトリウムから選ばれた１種類以上のビタミン）を必須の成分として含有させれば、特に制限がない。
【０００９】
本発明におけるココアパウダーは、カカオ豆を原料として製造される。まず、カカオ豆を選別、焙焼、破砕して表皮などを除去した後に、カカオミル、ボールミル、ロールリファイナーなどで磨砕してカカオマスが得られる。このカカオマスをココアプレスによりココアバターを圧搾して得られた圧搾粕がココアケーキで、これを粉砕機で粉砕したものがココアパウダーである。
【００１０】
本発明における、粉末飲料の製造方法は、ビタミンが著しく減少しない限りは、特に制限はない。各原料を粉体混合するだけでもよいし、噴霧乾燥、流動層造粒、撹拌造粒などの処理を行ってもよい。
【００１１】
以下に実施例を示し、本発明をより詳細に説明するが、その内容に制限されるものではない。
【実施例】
【００１２】
（実施例１）
ココアパウダー（ココアバター２２〜２４％）４ｇ、脱脂粉乳３ｇ、全粉乳１．５ｇ、砂糖8ｇ、チアミン塩酸塩1ｍｇ、ピリドキシン塩酸塩１．８３ｍｇ、ニコチン酸アミド１５mg、パントテン酸カルシウム５．４６ｍｇを２００ｍｌ用ビーカーに計量し、９０℃の熱湯１２０ｍｌで溶解した。
【００１３】
（実施例２）
ココアパウダー（ココアバター２２〜２４％）２．０ｇ、脱脂粉乳１．５ｇ、全粉乳０．７５ｇ、砂糖８ｇ、チアミン塩酸塩1ｍｇ、ピリドキシン塩酸塩１．８３ｍｇ、ニコチン酸アミド１５mg、パントテン酸カルシウム５．４６ｍｇを２００ｍｌ用ビーカーに計量し、９０℃の熱湯１２０ｍｌで溶解した。
【００１４】
（比較例１）
脱脂粉乳３ｇ、全粉乳１．５ｇ、砂糖８ｇ、チアミン塩酸塩０．３４ｍｇ、ピリドキシン塩酸塩０．６１ｍｇ、ニコチン酸アミド５mg、パントテン酸カルシウム１．８２ｍｇを２００ｍｌ用ビーカーに計量し、９０℃の熱湯１２０ｍｌで溶解した。
【００１５】
（比較例２）
砂糖８ｇ、チアミン塩酸塩０．３４ｍｇ、ピリドキシン塩酸塩０．６１ｍｇ、ニコチン酸アミド５mg、パントテン酸カルシウム１．８２ｍｇを２００ｍｌ用ビーカーに計量し、９０℃の熱湯１２０ｍｌで溶解した。
【００１６】
実施例１〜２、比較例１〜２について、それぞれ風味の評価を表1の基準に従って行った。その結果を表２に示す。
【００１７】
【表１】
2006006112.tif 000002
【００１８】
【表２】
2006006112.tif 000003
【００１９】
実施例１、２は、いずれもビタミンの苦味が感じられず風味良好で、比較例１ではビタミンの苦味がやや感じられあまり好ましくなく、比較例２では、ビタミンの苦味が強く好ましくなかった。
【産業上の利用可能性】
【００２０】
本発明により、おいしく、手軽にビタミンＢ群を摂取することができる粉末飲料を提供することができる。
(57)【要約】【課題】従来は捕集された昆虫を長時間同じ容器に保管されていた、従って、ひ弱い小型昆虫は大型の昆虫に破壊される事も少なくなかった、また気象条件による昆虫の生態状況に就いて何等考慮されて居なかった。【解決手段】運転開始から予めプログラムされた当該時刻の気象状態を記録した透明シートで昆虫をラミネートして得られた昆虫標本であり害虫駆除を目的とした予察灯として、個人差の無いより的確な対策を実施できる標本となった。【選択図】    図２
2006006153.tif 000002
【特許請求の範囲】
【請求項１】
誘蛾灯に依り捕集された昆虫を一枚の透明なラミネート標本とし、同時に其の日付、場所、の他に其の時の気象条件（気温、湿度、風向風速等）を随時記録する
【請求項２】
上記シートの区切りは昆虫の動きが活発な時間帯では短時間（5分〜15分間隔）、深夜から朝方にかけた余り活発でない時間帯  ではラミネートの速度を遅くして創られる
【請求項３】
上記の目的を達成するため本装置の運転は、予めマイコン５のプログラムされた順序で実施され、当該時間帯の気象条件を記録された透明シートによりラミネートされた、昆虫標本。 
【発明の詳細な説明】
【技術分野】
【０００１】
昆虫の発生状況を予察する為特定地域に設置される、予察灯（誘蛾灯）に関する物である。
【背景技術】
【０００２】
従来の捕集方法では一日分を一つの容器に収容している、従って捕集された昆虫の質、量ともに其のばらつきがあっても、その理由は判然としなかった。    
【０００３】
捕集された昆虫は、従来一つの容器に保管される為、カブトムシ等の大型昆虫に小型の蛾は粉砕され分類できなくなってしまう事が有った。
【発明の開示】
【発明が解決しようとする課題】
【０００４】
従来の捕集方法では、其の時の気象条件、晴天又は雨天等の違いにも依り、極端に捕集成績にばらつきがあっても、其の理由が判然としなかった。
【課題を解決するための手段】
【０００５】
本発明は、此れを予めプログラムされた時間間隔（任意の時間毎に区切り）其の単位毎に、温度。湿度。風向風速等。の重要な気象状態を透明シートの適当な位置に随時記録して置き其の透明シートでラミネートする事により、時間及び捕集された昆虫を気象条件の記録と同時にラミネートされる、昆虫の生態状況を標本とした、昆虫標本。    
【０００６】
従って、本昆虫標本は第２図に見られるように、設置日、設置場所、時刻、気温、湿度、風向風速、捕集時間が随時記録された透明シートで昆虫はラミネートされて居り、発生の状況判断が極めて容易になり、検査員毎の判定結果に個人差が無く成るよう謀った。    
【０００７】
具体的に説明すると第１図に示す１の誘蛾灯で捕集された昆虫４は、マイコン５で制御され透明シートにラミネートされる。先ず捕えられた昆虫は殺虫ガスで処理され、透明シートに所定事項を印刷し次にラミネート装置１２を運転、次に所定距離進行したら中断、これら一連の操作を繰り返す事により、一日分の製品１３の昆虫標本を得る。    
【０００８】
第２図は（前図の１３）に就いて其の詠み方を詳述する、先ず予めプログラムされた時刻に前述された如く、日付及び設置場所を記録し一区切り進行し次からは、所定時刻毎に日時、温度，湿度、風向風速等の必要事項を随時記録された透明な上下２枚のシートで昆虫をラミネートし、最終位置は昼間である故１２時間が一区切りとして、全体を完成された物が、本項の昆虫標本である。
【発明の効果】
【０００９】
本ラミネートシートによる昆虫標本では、補捉した時の重要な気象条件、温度、湿度、風向風速が同時に記録されており、従って特定昆虫の的確な生態状況の判断が極めて容易となり、害虫駆除を目的とした予察灯として、個人差の無い判断が出来る。
【発明を実施するための最良の形態】
【００１０】
実施の形態にもとづき、本発明を詳述する１図は、本発明の標本を得る装置の概念図にして、本装置は昆虫標本の採集場所に設置される装置の概念図。
【図面の簡単な説明】
【００１１】
【図１】本発明の昆虫標本を得るための装置概念図、
【図２】本発明の昆虫標本
【符号の説明】
【００１２】
１    誘蛾灯の球２    捕虫漏斗、３    殺虫ガスボンベ、４    捕集された昆虫５    マイコン６    プリンター７    透明シート８    透明シート９    温度センサー１０  湿度センサー１１  その他のセンサー１２  ラミネート機械１３  製品、詳細は第２図 
【図１】
2006006153.tif 000003
【図２】
2006006153.tif 000004
(57)【要約】      （修正有）【課題】散歩中の犬が便をする時確実に簡単に後始末をする。【解決手段】ネット状の外袋にビニールを袋を重ねておき犬が便を出す時点で受けて入れる。確実に全部取れるので放置が防げるようにした。【選択図】図２
2006006304.tif 000002
【特許請求の範囲】
【請求項１】
犬のフンが地面に落ちる前に受けて取る道具
【発明の詳細な説明】
【発明の詳細な説明】
【０００１】〔発明の属する技術分野〕この発明はネットの外袋にビニール袋を重ねて入れその中に犬がフンをする時受けて取るものである
【０００２】〔従来の技術〕従来の犬のフンの後始末は一旦地面に落ちたものを拾っていた。したがって手間もかかり草むらの上などにフンをされると拾いにくく又下痢便は拾えなかったりして放置の原因になり地域のフン公害の元となっていた
【０００３】〔発明が解決しようとする課題〕本発明はその欠点をなくすために、犬の便が地面に落ちる前に処理するようにするのを課題とした
【０００４】〔課題を解決するための手段〕犬の便を地面に落さないためには受けて取ることである犬が便意を催した時点で犬の後方から柄のついた袋を差し出し待つことが最上であることを発見した
【０００５】〔発明の実施の形態〕本発明を実施するために最初はチラシ等の紙を受けていた１回の散歩で便が１度だけで済むのであればこの方法でも良いがしかし便の入った紙を手で包んだりするのは気持が悪いし回数が重なると大変なのでビニール袋で受けることにした。常に袋の口が開いた状態にしておく必要があるので枠を作ったビニール袋だけでは不安定なのでネット状のもので外袋を作りその中にビニール袋を重ねることにした。立ったまま作業が出来る様に持ち手をつけた。散歩中便の入った物を持ち歩くのは見た目に良くないのでカバーかぶせることにした。カバーは持ち手の上をずらせて移動する様にした  ビニール袋だけその都度すてる
【０００６】〔発明の効果〕本発明は以上の様な構成だから便は確実に受けて取って処理できるので草むらでも下痢でも暗くても常に道路や公園に残すことがなくなったとても簡単に取れるので小さな子供でも使えて便の始末が出来る膝が痛くてしゃがみこめない人でも立ったまま作業が出来て助かる
【図面の簡単な説明】
【図１】本発明の正面図
【図２】本発明の側面図
【図３】本発明の斜視図
【図４】袋の部分にカバーをかぶせたところ
【図１】
2006006304.tif 000003
【図２】
2006006304.tif 000004
【図３】
2006006304.tif 000005
【図４】
2006006304.tif 000006
(57)【要約】      （修正有）【課題】  ぶどうの表皮を取り除き冷凍した無皮冷凍ぶどうの製造方法の提供。【解決手段】  採りたての新鮮なぶどうを冷凍し、この凍結ぶどうを水に数秒間浸す事により、表皮の部分だけを包丁等で取り除き、それを再び冷凍する事により、無皮冷凍ぶどうができ、更に上記無皮冷凍ぶどうを凍結状態で細かく粋き、容器に入れて冷凍すると様々な形の無皮冷凍ぶどうができる製造方法であり、消費者がこの無皮冷凍ぶどうを凍結したまま食す事ができ、渋味のない味を味わう事ができる製造方法。【選択図】  図５
2006006306.tif 000002
【特許請求の範囲】
【請求項１】
採りたての新鮮なぶどうを冷凍して凍結した状態のぶどうに水を数秒間浸す事によりぶどうの表皮の部分だけを包丁等できれいに取り除く事ができる。それを再び冷凍する事でぶどうの粒の形を残したままの無添加物の天然無皮冷凍ぶどうの製造方法。
【請求項２】
請求項１の無皮冷凍ぶどうを凍結した状態で細かく粋き形に入れて冷凍するとさまざまな形をつけた無皮冷凍ぶどうの製造方法。
【発明の詳細な説明】
【０００１】本発明はぶどうの粒の形を残し更に簿皮を取り除いた天然の無皮冷凍ぶどうに関する。
〔背景技術〕
【０００２】農作物である果物類は品種改良などの技術が進み種の無い果物や糖度の高いものが栽培出来るようになった。生産者はよりよい品種を作ろうと他からの知識を取り入れたり順次工夫を試みながら毎年収穫量の多い時期に出荷されぶどうもその一つである。
【０００３】ぶどうは人間の体の健康上に於いても非常に良い事がさまざまな分野からの研究により分かり、今まで以上に注目され子供から高齢者まで好まれる果物で有る。又房から一粒に離しやすく一口に食べ易い事からも需要の多い背景にある。しかし栽培者がその課程に於いて殺虫剤で有る農薬は欠かす事が出来ない為、食する時は洗う事が必要で有る。
【０００４】ぶどうの加工された商品は多く有り、代表的なものにぶどうのワイン等がある。又乾燥したものに乾しぶどうが知られその利用性も多い。ぶどうを冷凍した状態で保存する事も出来る。しかしぶどうは冷凍すると皮が密着するため、皮の付いたまま食する。
一度冷凍したぶどうを解凍して食すると口の中にいつまでもしぶが残り不快感を残すため凍結した状態で食する方が良い。それ等の事から薬品を用いた冷凍物や味付けされたものも有る。それには砂糖等が使われている。
【０００５】以上に述べた事からぶどうの栽培に研究を重ねた者も多く有り近年天然のミネラルを利用し、無農薬に近い栽培を用いた者があり、その成果は、それまでに無い甘さや美味しさで遠くより買い求める消費者もある程のものでその栽培は成功ともいえるが、粒が不揃であったり、実が詰っていない等の欠点も有る為、出荷できないものも有り更に研究が必要である。しかしその週囲で採れる野菜や果物は昔から独特の美味しさがあり、その地域の土壌が農作物の栽培に著しく適している事を近年分かった。
〔発明が解決しようとする課題〕
【０００６】完熟した採りたてのぶどうを四季を問わず新鮮な状態で食する事の可能な方法。それは冷凍に薬品や添加物を使用せず天然のもので有る事が一番で有る。冷凍という方法はその糖度が必要になるが他に無い商品が出来たため、その味を広めたいがそれには消費者が迷うものでは無理で有る。従って商品に対する消費者の諸々の違和感を取り除く事で有る。
〔課題を解決する為の手段〕
【０００７】一般の家庭の主婦や病院或いは老人ホーム等で働いている人達が凍結したぶどうの皮をむく事はその忙しさから無理で有る。よって皮を取り除いた状態にする事で有る。
天然の無皮冷凍ぶどうで有ればそれまで消費者の中に有った諸々の違和感、例えば農薬は付いていないかとか何の味を付けてはいないか等の不安を取り除く事が出来る。無皮冷凍ぶどうにするには季節に熟した採りたてのぶどうを一度洗いする。そしてぶどうの房から一粒づつ離し大きさを選別し冷凍する。冷凍した状態で２秒から３秒の間水を通す事により包丁などで皮がきれいにはがす事が出来る。それは表皮だけのいわゆる簿皮だけを簡単に取れるというもので有る。表皮の部分丈きれいに取り除いたぶどうは、まだ凍結している状態であり、そのまま冷凍する事により商品化できる。
〔発明の効果〕
【０００８】無添加物の無皮冷凍ぶどうはそれまでに有った消費者の諸々の不安を取り除く事により天然の健康食品として多く買い求められるようになる。
【０００９】一般の家庭の冷凍庫から取り出された無皮冷凍ぶどうは皮をむく手間や手を汚す事も無い事で子供から高齢者まで誰れでも扱え今まで以上に食する事が出来るようになる又体の健康の事を考えて作られているその指令するぶどうは他に類の無い味であり口の中でのさわやかな広がりは家庭の食後のデザートとして喜ばれるもので有る。
【００１０】無皮冷凍ぶどうは味がまろやかな上に歯の無いものでもかめる事から今後老人が増える事からみても老人ホーム等でも欠かせ無い健康食品ともなる。
【００１１】ぶどうの研究に３０年以上の努力を積み重ね出来たそのぶどうは最高の品種である事から世界的に広める事も可能で有るがぶどうの実が不揃で有ったりの事から出荷出来なかったそのぶどうも粒にする事で一粒一粒の商品とされ長年の努力も報われ、更に今後の研究を要求出来るものであり又、他の生産者の希望にもつながる。
〔発明を実施する為の最良の形態〕
【００１２】季節に完熟したぶどうを集荷したり、皮をむく作業を用いる為の工場をつくり色々な分担を決めそれに従って円滑に作業を行う
〔実施例〕
【００１３】完熟したぶどうを採って来る者、洗う者、冷凍する者、皮を取る作業の者、凍結した商品を選ぶ者、最終的には街中のマーケットに出廻り、消費者に一度食されれば後は執道にのる。
〔産業上の利用可能性〕
【００１４】長年の研究により完成したそのぶどうは、その味を知る消費者のみで売りさばける為、個人的な商法を行っているが需要がその要求に責まれる事になれば、その栽培方法を廻りの生産者に指導する事により、収穫も増え、又その廻りの土地も多く有る為県をあげての仕事につながり、その地域の高齢者に仕事が発生する。
【００１５】現在そのぶどうの値段は驚く程の高値で有るが生産を増やす事によりコストを下げる事も可能になり無皮冷凍ぶどうとして海外輸出も可能になる。又国内に於いてもその利用性は一般の家庭、病院、そして老人ホーム等の健康食品として生活必需品となる事は明らかで有る。
【図面の簡単な説明】
【００１６】〔図１〕ぶどうの房のままで一度洗う
〔図２〕ぶどうの房から一粒づつに取り離し大きさを選別する
〔図３〕洗った時の水分を取る為穴のあいた容器に入れ乾す
〔図４〕冷凍する
〔図５〕冷凍したままのぶどうに２秒〜３秒間水を通し皮を取り除く
〔図６〕皮を取り除いたぶどうを再び冷凍する
〔図７〕冷凍車にて出荷、或いはマーケットに運ぶ
【符号の説明】
１  ぶどう
２  穴のあいた容器
３  冷凍庫
４  包丁
５  冷凍車
【図１】
2006006306.tif 000003
【図２】
2006006306.tif 000004
【図３】
2006006306.tif 000005
【図４】
2006006306.tif 000006
【図５】
2006006306.tif 000007
【図６】
2006006306.tif 000008
【図７】
2006006306.tif 000009
(57)【要約】【課題】爪切りに安全カバーを被せ、深爪や赤ちゃんのふいに動く指先の肉などを挟まないように爪を切る事のできる安全カバーを提供する。【解決手段】爪切りの下部を覆った安全カバーを、爪切りの下部の刃先の下あごに合うように隙間を開け、指を軽く押しつけも、指の肉が入らない厚みを作ったことを特徴とする爪切り安全ガードである。【選択図】  図１
2006006364.tif 000002
【特許請求の範囲】
【請求項１】
爪切りの下部を覆った安全ガードを、爪切りの下部の丸先の下あごに合うように隙間を開け、指を軽く押しつけても、指の肉か入らない厚みを作ったことを特徴とする爪切り安全ガード。
【発明の詳細な説明】
【技術分野】
【０００１】
本発明は、爪切りの刃先をプラスチックで覆った形にして、爪切りの刃先に当たる部分に爪が入る隙間だけを作った安全ガードに関するものである。
【背景技術】
【０００２】
従来、爪切りの刃先には何もついていなかった。
【発明の開示】
【発明が解決しようとする課題】
【０００３】
その為に次のような問題点があった。
（イ）刃先の挿み口の幅が広く、深い淡い等の切り分けがまばらであった。
（ロ）爪を切る際に深爪や、ふいに動く赤ちゃんの指を誤って挟んでしまう危険性があった。
本発明は、これらの問題を解決する為になされたものである。
【課題を解決するための手段】
【０００４】
プラスチックを爪切りの刃先を覆った形に作り、爪が入るだけの隙間を設ける。
その隙間に指を押しつけても指先の肉が入らないだけの厚みを設ける。
以上を特徴とする爪切り安全ガードである。
【発明の効果】
【０００５】
本発明を使用する事によって指を押しつけながら爪を切る事ができ、赤ちゃんの指や肉などを挟まなくなり極めて安全になった。
【発明を実施するための最良の形態】
【０００６】
以下、本発明の実施の形態について説明する。
プラスチックを、爪切り下部を覆った形に作った安全ガード（１）を設ける。
（ロ）安全ガード（１）の爪切りの刃先に当たる部分に、爪だけが入る隙間（２）を設け、指を軽く押しつけても肉が入らないくらいの厚み（３）を設ける。
本発明は以上のような構成で、これを使用する時は、爪切りカバー（１）を爪切り（Ａ）に取り付けて刃先の下あごに隙間（２）を合わせ、指（B）を軽く押しつけながら爪を切ることができる。
また図１に示すように、安全ガード（１）の材質は、プラスチックの代替として、鉄、木材、硬質ゴムなどでもよく、大きさも各種爪切りの大小に関係なく、爪切り（Ａ）の刃先の下あごに隙間（２）があっていれば良い。
【図面の簡単な説明】
【０００７】
【図１】本発明の斜視図
【図２】本発明の使用状態を示す説明図
【符号の説明】
【０００８】
（１）安全ガード
（２）隙間
（３）厚み
（Ａ）爪切り
（B）爪又は指先
【図１】
2006006364.tif 000003
【図２】
2006006364.tif 000004
(57)【要約】  【課題】食品に直接使うことができ、かつ、食品の味覚に影響を及ぼさない抗カビ・静菌剤を提供すること。  【解決手段】  この発明の抗カビ・静菌剤は、テルペン系炭化水素、特に好ましくはアルファ−ターピネオールを０．０５％を含有し、食用酢、好ましくは米酢を０．０５％から０．１％含有しエチルアルコールを２５％から３５％又は５０％含んでいる。【選択図】なし【特許請求の範囲】
【請求項１】
テルペン系化合物０．０３％〜０．０６％と、エチルアルコール２５〜３５％または５０％と、食用酢０．０５％〜０．１５％とが含まれていることを特徴とする抗カビ・静菌剤。
【請求項２】
請求項１に記載の抗カビ・静菌剤において、前記テルペン系化合物がリモネン、ピネン、シネオールまたはターピネオールであることを特徴とする抗カビ・静菌剤。
【請求項３】
請求項１または２に記載の抗カビ・静菌剤において、前記テルペン系化合物がアルファ−ターピネオールであることを特徴とする抗カビ・静菌剤。
【請求項４】
請求項１ないし３のいずれか１項に記載の抗カビ・静菌剤において、前記食用酢が米酢であることを特徴とする抗カビ・静菌剤。
【請求項５】
テルペン系化合物と、エチルアルコールとを含む抗カビ・静菌剤に、食用酢を添加することによって、前記抗カビ・静菌剤が有する苦み臭を除去することを特徴とする抗カビ・静菌剤の脱臭方法。
【発明の詳細な説明】
【技術分野】
【０００１】
この発明は、テルペン系炭化水素を含んでなる新規抗カビ・静菌剤と、それを用いたテルペン系炭化水素系抗カビ・静菌剤の持つ苦み臭を除去することからなる脱臭方法に関するものである。
【背景技術】
【０００２】
我々は、テルペン系炭化水素を含んでなる新規でかつ安全性の高い抗カビ・静菌剤について特許出願をしている（特許文献１）。しかしながら、かかる抗カビ・静菌剤を使用してみると、確かに安全で効果も確実に発揮できることが観察されるけれども、実際に食品に使用してみると食品に苦みが付着することが認められた。かかる抗カビ・静菌剤を実際に市場で使用するためには、その苦みをどうしても除去する必要がある。しかしながら、当然のことであるが、我々の見いだした新規抗カビ・静菌剤の使用に伴って発生する苦みの除去についての報告は未だない。あらたな研究を必要とした。
【特許文献１】特願２００３−２７２４８１
【発明の開示】
【発明が解決しようとする課題】
【０００３】
従って、この発明の目的は、テルペン系化合物と、エチルアルコールとを含む抗カビ・静菌剤であって、かかる抗カビ・静菌剤を食品に使用したときに発生する苦み臭みを除去する脱臭方法に関するものである。
【課題を解決するための手段】
【０００４】
本発明者らは、鋭意努力した結果、先の発明で完成させた新規抗カビ・静菌剤（特願２００３−２７２４８１）において、試みた多くの種類の香料等では目的を達成することができないこと、また微量の酢酸を添加すると共に、エチルアルコール濃度を先の発明よりも低下させることによって、抗カビ・静菌効果を維持しながら苦み臭を除去することができることを見出して、この発明を完成した。
【０００５】
上記目的を達成する為、この発明は、０．０３％〜０．０６％のテルペン系化合物、例えば、リモネン、ピネン、シネオールまたはターピネオール、特にアルファ−ターピネオールと、２５〜３５％、好ましくは５０％のエチルアルコールと、０．０５％〜０．１５％の食用酢、特に米酢とを含んでなる抗カビ・静菌剤を提供する。この発明に係る新規抗カビ・静菌剤は食品の味には影響を与えないものである。
【０００６】
この発明の好ましい態様として、テルペン系化合物と、エチルアルコールとを含む抗カビ・静菌剤に、食用酢を添加することによって、上記抗カビ・静菌剤が有する苦み臭を除去することができる抗カビ・静菌剤の脱臭方法が提供される。
【発明を実施するための最良の形態】
【０００７】
この発明に係る新規抗カビ・静菌剤は、テルペン系炭化水素を０．０３％から０．０６％と、エチルアルコールを２５％から３５％または５０％と、食用酢を０．０５％から０．１５％とを含んでなり、かつ、食品の味には影響を与えない新規抗カビ・静菌剤である。
【０００８】
この発明に使用することができるテルペン系炭化水素としては、例えば、リモネン、ピネン、シネオールまたはターピネオールが挙げられ、特にアルファ−ターピネオールが好ましい。また、食用酢としては米酢が好ましい。
【実施例１】
【０００９】
（抗カビ・静菌剤の調製）
α−ターピネオールと、エチルアルコールと、米酢とを下表で示す割合で混合して抗カビ・静菌剤を調製した。
【００１０】
（試験方法）
この発明において、カビ発生試験と味覚への影響試験は次のように行った。
先ず、カビ発生を観察するために、防カビ剤の添加されていない食パンを６×３ｃｍに切り、上記実施例で調製した抗カビ・静菌剤を２度噴霧して室温に放置した後ビニール袋に保存して、食パンへのカビ発生を観察した。この発明の抗カビ・静菌剤を用いた場合にはいずれもカビの発生は認められなかったが、対象の場合には、５日目にカビの発生が認められた。なお、対象としては蒸留水を用いた。
更に、味覚への影響は、上記抗カビ・静菌剤を２回噴霧した後、実際に食して嗜好検査を行って調べた。
【００１１】
下表で示すように、この発明に係る抗カビ・静菌剤は、食パンに対して抗カビ効果を発揮していると共に、食パンの味に影響を及ぼしていないことが判明した。
なお、下表に示したように、他の組成の濃度変化は非常に微妙であるが食パンの味覚に変化が見られた。
【００１２】
【表１】
2006006246.tif 000002
【００１３】
【表２】
2006006246.tif 000003
【００１４】
【表３】
2006006246.tif 000004
【００１５】
【表４】
2006006246.tif 000005
【００１６】
上記結果から、この発明に係る抗カビ・静菌剤は、テルペン系炭化水素、特に好ましくはアルファ−ターピネオールを０．０５％を含有し、食用酢、好ましくは米酢を０．０５％から０．１％含有しエチルアルコールを２５％から３５％又は５０％含んでいるのがよい。
【産業上の利用可能性】
【００１７】
この発明に係る抗カビ・静菌剤は、食品に直接使用することのでき、かつ、食品の味覚に影響を与えることが無く、またカビの発生も防止することができるので、産業上利用することができる。
(57)【要約】【課題】屋上など緑化対象で、苔の増殖と生育過程における緑化を目的に移植栽培する際、種苗の育成と栽培成長した苔を他の緑化対象へ移動することを容易にする課題。又、栽培過程における苔種苗の保護と苔種苗のメンテナンス及び施設メンテナンスを容易にすることを課題とする。【解決手段】栽培にプラスチック製人工芝を培地として用い、保水層として不織布を用いることで、暴風雨による種苗の飛散防止と、苔種苗の育成にとって必要な水分補助をする。又、基本ブロックの組み合わせで緑化面積を確保するため、施工、取り外しを自在とすることで成長した苔を他の緑化対象へ移動することも容易となり、メンテナンスも容易となる。【選択図】図１
2006006292.tif 000002
【特許請求の範囲】
【請求項１】
プラスチック製人工芝の基盤と人工芝に織り込んだ不織布で構成することを特徴とする苔植物、スナゴケの栽培法。
【請求項２】
前記栽培法はビル等の屋上緑化の手法として屋上での栽培と栽培過程における緑化を兼ね備え、収穫時の取り外しを自在とし、他の緑化対象施設への移植を容易にしたことを特徴とする請求項１記載の栽培法。
【発明の詳細な説明】
【技術分野】
【０００１】  この発明は、ビル等屋上緑化を目的とした苔植物スナゴケの栽培法に関する。
【背景技術】
【０００２】  従来スナゴケの栽培には種苗から砂地を培地とし、まき苔法他移植法により栽培する技術があり、又、屋上緑化の手法としては、人工土壌を培地として種苗を移植したもの、人工基盤に定着させたもの、シート状に加工したもの等がある。
【発明の開示】
【発明が解決しようとする課題】
【０００３】しかしながら、以上の技術によれば、緑化目的で屋上他緑化対象に苔を定着させる技法であり栽培成長した苔の移植が容易でなく、又、生育過程における種苗の暴風雨による飛散と施設メンテナンスが容易でなかった。
そこで、この発明は、ビルの屋上他、緑化対象で栽培する栽培法であり、その栽培過程における種苗の保護と緑化及びメンテナンスを課題とし、又、成長したスナゴケ基盤を他の緑化対象に容易に移植提供することを課題とする。
【課題を解決するための手段】
【０００４】  以上の課題を解決するために、第一発明は、人工芝の芝目に苔種苗を埋め込むことを特徴とする栽培法である。また、第二発明は、芝目に保水性と苔種苗の落下防止の不織布を織り込んだことを特徴とする栽培法である。また、第三発明は基本ブロックの組み合わせで緑化面積を確保し、緑化対象への設置、取り外しを自在としたことを特徴とする栽培法である。
【発明の効果】
【０００５】  第一発明によれば、人工芝の芝目に種苗を埋め込むことで暴風雨による種苗の飛散を防止し、種苗が保護でき、第二発明では厚みを持った不織布で種苗の育成に必要な水分補給を目的に保水性を持たせる。スナゴケは成長するに従い不織布の繊維に仮根を下ろし体を固定する。又、第三発明によれば基本ブロックの組み合わせで緑化面積を確保する為、緑化対象への設置、取り外しを自在とし、施設メンテナンスと他の緑化対象への移植を容易にする。
【発明を実施するための最良の形態】
【０００６】  この発明の一実施形態を、図１に示す。
人工芝の本体はプラスチック製であり芝に相当する突起物は、柔軟性がある。芝目の底には厚みのある不織布が織り込まれている。基本ブロックの組み合わせで緑化面積を確保する。【０００７】「実施形態の効果」
この実施形態によれば、芝に相当する柔軟な突起物で種苗を固定、保護し暴風雨による種苗の飛散を防止する。不織布には厚みをもたし雨露の保水効果と種苗の基盤下への落下を防止する。人工芝が種苗を保護している為、スナゴケ基盤の上を歩くことができ、基盤は、取り外し自在で苔種苗他施設メンテナンスを容易とする。【０００８】「他の実施形態」
図１の実施形態では、人工芝の芝に模した突起物は柔軟性があるが、他の実施形態では、芝に相当する突起物は円筒形など他の形状で硬質なものでも良い。又、葉茎は成長すると５ｃｍにもなり突起物の長さは苔身長に対応させたものでも良く、基本ブロックの面積も移動を容易とするサイズのものでも良い。
【図面の簡単な説明】
【０００９】
【図１】この発明の一実施形態を示す正面図である。
【図２】この発明の一実施形態を示す立面図である。
【符号の説明】
【００１０】  １  スナゴケ    ２  人工芝    ３不織布
４  人工芝基盤  ５  排水孔
【図１】
2006006292.tif 000003
【図２】
2006006292.tif 000004
(57)【要約】【課題】一般的にコラーゲンは、服用式、ドリンク式が主流で毎日服用及び一日何回服用と明記した物や化粧品に配合したものが市販されている。【解決手段】コラーゲンを麺に練り込み加工することで、服用式やドリンク式が高価、多量でリスクが大きく摂取できなかった人が、日常麺を食することにより、コラーゲンのもつ効能を効果的に食する事が可能になり、安心且つ満足して食できるようになった。【特許請求の範囲】
【請求項１】
コラーゲンを麺類一式に練り込み加工しコラーゲン不足を補給する補助食品
【発明の詳細な説明】
【発明の詳細な説明】
【コラーゲンとは】
【００１】  コラーゲンは体を構成するタンパク質の３分の１以上を含め、肌、歯、目、骨、内臓、血管、軟骨、髪、爪、などに多く含まれています。
体内のコラーゲンはおよそ半年ですべてが分解合成されて新しくなると言われておりますが、分解されたコラーゲンが再合成されるとき、すべてが元通りになるわけがないので、新しくコラーゲンになるものが必要になります。
私たちが食事から摂ったいろいろなタンパク質は、体内で一度アミノ酸に分解され、コラーゲンを合成して、必要な体の各部に送られます。
しかし、残念ながらコラーゲンの減少は人間の老化とほぼ一致すると言われ、更年期前後から始まる膝や腰の痛みの大部分は関節のコラーゲン不足が原因と考えております。
また皮膚の真皮相９０％以上を占めるコラーゲンにはお肌に必要な水分を保つ力があります。赤ちゃんのお肌がみずみずしいのは新鮮なコラーゲンを豊富に含んでいるからなのです。
日々の美容と健康の為に良質な高純度コラーゲンを積極的に補給し、細胞の新陳代謝を促進するもの。
【コラーゲンの働き】
【００２】１，タンパク質の３分の１はコラーゲンが占める
体内でコラーゲン合成能力は２０歳ごろから衰えはじめ、４０歳を過ぎると急速に衰えてくる。コラーゲンが不足すると、細胞への酸素や栄養の補給が悪くなり、老廃物の排泄が滞り、細胞本体の働きが退化するなど、老化につながる原因をつくる。
２，血管は全体に張り巡らされたコラーゲンのチューブである
コラーゲンの不足は丈夫な血管を弱くし、ひいては修復を困難にする。
血管が強く、柔軟性があると、動脈硬化や高血圧になりにくく、脳梗塞や心筋梗塞の予防にもなる。
３，毛細血管や脳細胞に栄養を補給する細胞は、コラーゲンで支えられている
コラーゲン不足は臓器の細胞の死滅を招く。肝臓や胃、心臓や腎臓、脳や肺等はコラーゲンを補給して新陳代謝を促進することによってその能力を十分に発揮させることができる。
４，体内に侵入するウイルスや有害化学物質などを処理するマクロファージ（食細胞）は、コラーゲンと結合すると、１００倍以上のはたらきをする
マクロファージの食菌活力で免疫力が大幅に高まるので、風邪の予防や花粉症など各種アレルギー症状の予防・緩和となる。
５，目の角膜や水晶体などにはコラーゲンが大量に含まれている
角膜が光を通すのは、コラーゲン繊維が規則正しく並んでいるからである。コラーゲンの不足はこの繊維の並びを乱し、角膜に働きを衰えさせる。視力回復にコラーゲンが有効である。
水晶体にもコラーゲンが大量に含まれていて、コラーゲン不足は水晶体のタンパク質を老化させ、白く濁るようになる。そして透明度が失われると、白内障を惹き起こす。コラーゲン不足は、目の敵である。
６，皮膚組織の真皮の約７０％はコラーゲンである
細胞と細胞をつなぎ、酸素や栄養を補給し、老廃物を取り除く経路を作る。コラーゲンの不足は、この経路の働きを低下させ、皮膚のみずみずしさを失わせ、シワ、シミ、肌荒れの原因となる。
また毛髪の栄養源となるので、コラーゲンを補給すると毛髪が増え枝毛や抜け毛がなくなる。
７，骨のコラーゲンの量は骨の重量の約２０％で、骨中のタンパク質の約８０％がコラーゲンである
骨の組織にカルシウムやリンが定着するのを助ける。血液は骨髄で造られるので、コラーゲン不足による骨髄機能の低下は、血液の製造元の低下を招く。
血液が順調に造られないと、酸素や栄養素の補給が不充分となり、骨ひいては全体の老化につながる。
８，人体の軟骨の約５０％はコラーゲンで出来ている
軟骨は骨と骨間のクッションの役目をしている。軟骨はコラーゲンが不足すると、すりヘリ、弾力性が失われる。その結果関節がうまくかみ合わなくなったり、関節の摩擦が起こり、骨や軟骨が変形して変形性関節症になることがある。
軟骨は背骨の椎間板やひじなど体の関節部分にもある。従って、コラーゲンを補給すると椎間板ヘルニヤや腰痛に有効に働き、その改善や予防にもなる。
９，腱の組織の８０％以上はコラーゲンである
腱は骨と筋肉をつないでいる。コラーゲン不足によって腱が衰えると、腱の弾力性が失われて、切れやすくなる。アキレス腱痛や断裂の予防にコラーゲンが有効である。また、骨と筋肉のずれや骨の変形の原因となり、膝痛や肩痛を起こすことにもなる。従って、これらの予防、緩和にコラーゲンを補給するのが良い。
【技術分野】
【００３】本発明は人間の老化とほぼ一致すると言われているコラーゲンを麺類に練り込み加工する事により、日本の食文化にある麺類を日常食している中でコラーゲン不足を補給する補助食品です。
【背景技術】
【００４】一般に従来コラーゲンは手や顔に塗る軟膏式、飲料水、サプリメント式程度のものである。
【発明の効果】
【００５】本発明は上記の実施状態に記述したように美容と健康の為のコラーゲンを麺に練り込み加工すことにより、麺が持つタンパク質が体内で一度アミノ酸に分解され、コラーゲンを合成する事と共にコラーゲンを補給し、消費者が安心且つ満足して食する中で血管の強化、（動脈硬化、高血圧症、脳梗塞、心筋梗塞、）臓器の細胞死滅を防ぎ、骨、目、髪、爪、歯、等への新陳代謝を促進させる効果がある。
(57)【要約】【課題】  魚釣時道糸の先端に接続されているハリスの切断を防止するために、常時道糸の張力を表示出来る張力表示装置を設けたリールを提供する。【解決手段】  リール内に道糸の張力検出器と、張力検出器により検出された張力を電気信号に変換しデジタル式に表示する表示装置を設けたことを特徴とする。【選択図】  図２
2006006293.tif 000002
【特許請求の範囲】
【請求項１】
釣糸の張力を検出する張力検出装置と検出した張力を電気信号に変換し数値で表示する表示装置を有する魚釣り用リール。
【発明の詳細な説明】
【発明の詳細な説明】
【技術分野】
【０００１】  この発明は魚釣りにおけるリールに関するものである。
【背景技術】
【０００２】  従来の魚釣り用のリールは、主に糸の送り出し装置、糸の巻取り装置、糸のストッパー装置より構成されるリールが主体であったが、近年糸の張力を段階的に調節して張力を制御する機構を有するリールも開発され商品化されている。
【発明が解決しようとする課題】
【０００３】  従来の魚釣り用のリールでは、つぎのような欠点や不具合があった。即ち釣り用リールは糸の繰り出しや巻上げにおいては敏速に対応出来大変便利であったが、海釣りの糸は竿先から鍾までの道糸と、鍾から釣針までのハリスと称する部分とに別かれていて、魚がなるべく釣糸に気付かぬ様にハリスを見えにくい材質の色で、且なるべく細いハリスを装備して対応していたが、想定して決定したハリスの耐切断力より魚によるより大きな張力が加わると糸は切断された。これはハリスに加わる釣針に掛かった魚による張力が、道糸を通じて釣人の手に伝達されても釣人は経験と勘だけでは正確にその大きさを知ることが出来ないため起こり得たことであった。
【０００４】  即ち、釣上げようとする魚の種類、大きさ、潮の流れ、海の深さ、その他の状況を勘案して魚が針に掛かった時の張力を想定して、ハリスの材質や太さを決定して仕掛けを作り魚釣り動作に入っても、想定していた以上の大きさの魚が掛かったり、又別の種類の魚が掛かったりした場合、大きな張力が掛かるが、その張力の大きさが判らない為、無闇にリールで巻き取っていくと、ハリスが切断する場合が多々あった。一方ハリスが切断されるからといっていつまでも張力に応じて道糸を繰り出すにも糸の長さに限界があるため出来なかった。そこで少しずつでもリールで道糸を巻き上げることによって魚を釣り上げる為には、常時ハリスが切断される張力以下の時にリールで道糸を巻き上げ、魚を釣人に近づけさせる必要があったが、前述のごとく従来のリールでは常時ハリスの張力即ち道糸の張力がいくらかを見極めることが出来ず、屡々ハリスを切断させて釣った魚を逃したと同時に、切断した部分から先の釣具も失っていた。本発明は、上記の点に鑑みてなしたものであり、それらの欠点や不具合をなくすためになされたものである。
【課題を解決するための手段】
【０００５】  本発明は従来のリールの欠点、不具合点を解決するためになしたものであり、釣糸、即ち、ハリスと道糸を海中に投入している時は、常時リール上にハリスの張力、即ち道糸の張力を数値的に表示出来るようにしたものであり、従来のリール本体内に、道糸の張力即ち、ハリスの張力の張力検出器と、該張力の値を電気信号によって検出したものを数値で表示するデジタル式表示装置とを装填したことによって構成されるものである。
【発明を実施するための最良の形態】
【０００６】  以下本発明の実施の形態について説明する。
リール本体１内に道糸６の張力を常時検出する張力検出器２と、該張力検出器２によって検出された張力の大きさを電気信号に変換して、信号伝達系３を介してデジタル式で張力を表示する張力表示装置４を設ける。又従来装備している道糸巻取りドラム５は駆動方式として手動式でも電動式でもよい。又道糸巻取ドラム５にはブレーキ装置，ロック装置等組合せることも可能である。本発明は以上の構造によって成り立ち、これを使用する場合は以下の方法によって実施する。【０００７】  釣人は釣場において予め想定した対象魚に対してその仕掛におけるハリスを選定する。この場合ハリスは、材質，太さ等によってその耐久力即ち、どの程度の張力がハリスに加わると切断するかが判っている。これはハリスの製造又は販売者が表示している。釣人はその値以上にハリス即ち道糸に張力が掛からない様コントロールして、針に魚が掛かった場合巻き上げていく。この時魚の引張る張力は釣人の経験に基ずく推定によって判断されていて、これによってハリスの材質，太さを決めているので、ややもすると推定値を誤りハリスを切断することになる。本発明においては、常時リール上にハリス即ち道糸の張力が表示されているので、その表示をみながら使用中のハリスより大きな張力が掛かる前に道糸を弛めて、ドラムより道糸を繰り出すか、巻取りを中止するか等の方法によって張力を調整していく。しかる後再度巻取り作業に入る。この作業を繰り返し行い魚が少しずつ弱り、強い張力を発生することが出来なくなれば、道糸を巻き上げて魚を手もとに引き寄せる。
【発明の効果】
【０００８】  魚釣り中、常時切断しやすいハリスの張力をデジタル式に表示している表示装置を見て確認することによって、巻取りドラムによる巻上げの制御を行うことが出来るためハリスの切断を防ぐことが出来る。即ち現状使用しているハリスの耐切断力が５ｋｇとすれば張力表示装置が５ｋｇに近くになれば道糸を弛める様な操作をすることによって対応出来る。この表示装置がリールに設けられていれば針に掛かった魚をハリスによる切断によって逃すことは無くなる。
【図面の簡単な説明】
【図１】  本発明のリールを取り付けた釣具の全体図である。
【図２】  本発明の系統図である。
【符号の説明】
１．リール本体
２．張力検出器
３．信号伝達系
４．張力表示装置
５．道糸巻取ドラム
６．道糸
７．ハリス
８．錘
９．釣針
１０．竿
【図１】
2006006293.tif 000003
【図２】
2006006293.tif 000004
(57)【要約】【課題】    この発明は、アイスドリルなどで開けた氷の穴へ、曲面のある丸い輪を入れ、釣り針が氷下の角に接触するのを防ぎ、順調に魚釣りをする装置に関するものである。【解決手段】吊り棒になるもの（１）を、曲面のある輪（２）に固定し、氷下の角（３）のところまで入れる。釣り針が氷下の角でなく、曲面のある丸い輪（２）にだけ接触するようにする。【選択図】  図１
2006006299.tif 000002
【特許請求の範囲】
【請求項１】
曲面のある丸い輪（２）に吊り棒になるもの（１）をつけて氷の穴下に入れる装置
【発明の詳細な説明】
【発明の詳細な説明】
【技術分野】
【０００１】この発明は、曲面のある丸い輪を氷の穴下に入れ、釣り針が氷下の角に引っかかるのを防止するものである。
【背景技術】
【０００２】冬季に湖や沼などが氷結し、わかさぎ等の魚を釣るとき、アイスドリル等で氷に円形の穴をあけ、釣り針がたくさんついた、さびき仕掛けを入れるだけだった。魚が釣り針に掛かると、逃げようとして穴から遠ざかり、釣り糸が氷下の角に接触する。しかし、そのまま釣り上げるしかなかった。したがって頻繁に釣り針が氷下の角に引っかかっていた。
【発明が解決しようとする課題】
【０００３】釣り人は引っかかった仕掛けを外そうと棒で突いたり、無理に引っぱったりしていたが解決にはならず、仕掛けが切れてしまうこともあった。仕掛けが切れると釣れていたはずの魚が逃げるのは勿論のこと、また新たに仕掛けをつけ、えさをつけ、鉛などのおもりをつけなければならず、時間と経費の無駄であり又、切れた仕掛けは回収できず、湖や沼への環境悪化を想うと早期に解決しなければならないなど、釣り人からの強い要望にこたえるために発明されたものである。
【課題を解決するための手段】
【０００４】    いま、その構成を説明すると、
（イ）    吊り棒になるもの（１）を、氷の厚さにあわせて折り曲げる。
（ロ）    折り曲げた吊り棒を、曲面のある丸い輪（２）に固定する。
（ハ）    吊り棒の固定された曲面のある丸い輪を、氷下の角（３）まで入れる。
【発明を実施するための最良の形態】
【０００５】本発明は、このような構造であるから釣り針にかかった魚が、穴から遠ざかっても釣り針が氷下の角ではなく、曲面のある丸い輪だけに接触し、釣り針は引っかかることが無く、曲面のある丸い輪の底辺部分を、滑るように移動する。また、曲面のある丸い輪（２）の断面は、釣り針の径より大きなものであれば円でも、楕円でも、半円でもよい。また、吊り棒になるもの（１）は、板状、棒状、ひもや、針金、などでも氷下の角のところに設置できるものであればよいし、吊り棒になるもの（１）の数量は、１ヶ所でも数ヶ所でもよい。また、（１）（２）の材質は、金属でも非金属でもよい。
【発明の効果】
【０００６】本発明は、釣り針が氷下の角に引っかからず、魚を順調に釣り上げることができ、仕掛けが切れ落ちることも無くなる。切れ落ちることが無くなるから、仕掛けに使われているデグス、おもりの鉛、釣り針を、湖や沼に放置してしまうことも無く、環境を守ることにもなる。本発明構造は、きわめて簡単であるが、効果は、絶大なものがある。
【図面の簡単な説明】
【図１】  本発明の斜視図
【図２】  本発明のＡ−Ａ断面図
【図３】  従来技術の断面図
【図４】  本発明の使用中の断面図
【図５】  従来技術の平面図
【図６】  本発明の使用中の平面図
【図７】  本発明他の楕円断面図
【図８】  本発明他の楕円使用中の断面図
【符号の説明】
１は、吊り棒になるもの
２は、曲面のある丸い輪
３は、氷下の角
【図１】
2006006299.tif 000003
【図２】
2006006299.tif 000004
【図３】
2006006299.tif 000005
【図４】
2006006299.tif 000006
【図５】
2006006299.tif 000007
【図６】
2006006299.tif 000008
【図７】
2006006299.tif 000009
【図８】
2006006299.tif 000010